(57)【要約】      （修正有）【課題】白色度および黒色度を低下させることなく鮮明な画像表示が行える情報表示用パネルを提供する。【解決手段】電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、１つのセルまたは隣り合う複数のセルで１表示単位を構成し、各セルの背面側基板に前記表示媒体の色とは異なる色を少なくとも上面に有する中央凸状部材を設け、前記中央凸状部材上面と表示側透明基板との間および前記中央凸状部材と隔壁との間に表示媒体が配置される空間を形成する。【選択図】図１
2008299202.tif 000002
【特許請求の範囲】
【請求項１】
電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、
１つのセルまたは隣り合う複数のセルで１表示単位を構成し、
各セルの背面側基板に前記表示媒体の色とは異なる色を少なくとも上面に有する中央凸状部材を設け、前記中央凸状部材上面と表示側透明基板との間および前記中央凸状部材と隔壁との間、に表示媒体が配置される空間を形成する
ことを特徴とする情報表示用パネル。
【請求項２】
前記１表示単位が、１以上１６以下のセルによって構成されることを特徴とする請求項１に記載の情報表示用パネル。
【請求項３】
前記表示媒体の色を白以外の色とし、前記中央凸状部材の色を白色とすることを特徴とする請求項１または２に記載の情報表示用パネル。
【請求項４】
電界駆動可能な粒子からなる少なくとも２色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、
第１色の表示媒体を封入した１つ以上のセルと第２色の表示媒体を封入した１つ以上のセルとからなる複数のセルで１表示単位を構成し、
各セルの背面側基板に中央凸状部材を設け、前記中央凸状部材上面と表示側透明基板との間および前記中央凸状部材と隔壁との間、に表示媒体が配置される空間を形成する
ことを特徴とする情報表示用パネル。
【請求項５】
前記１表示単位が、２以上１６以下のセルによって構成されることを特徴とする請求項４に記載の情報表示用パネル。
【請求項６】
前記中央凸状部材上面の色が、白色であることを特徴とする請求項４または５に記載の情報表示用パネル。
【請求項７】
前記中央凸状部材が、透明無色であり、表面にミクロな凹凸を有することを特徴とする請求項４または５に記載の情報表示用パネル。
【請求項８】
前記中央凸状部材が背面側基板のセル中央に設けられ、前記中央凸状部材と前記セルを形成する全ての隔壁との間に表示媒体が配置される空間を形成することを特徴とする請求項１〜７のいずれか１項に記載の情報表示用パネル。
【請求項９】
前記セルが四角形の場合、前記中央凸状部材と、前記セルを形成する隔壁のうち１乃至４つの隔壁とにより、表示媒体が配置される空間を形成することを特徴とする請求項１〜８のいずれか１項に記載の情報表示用パネル。
【請求項１０】
前記中央凸状部材上面の色が、前記中央凸状部材が配置されているセルに封入された表示媒体の色と異なる色であることを特徴とする請求項１〜９のいずれか１項に記載の情報表示用パネル。
【請求項１１】
前記中央凸状部材の高さＨｔが、基板間の距離Ｈｗに対して、
Ｈｗ／４≦Ｈｔ≦Ｈｗ／２
を満たすことを特徴とする請求項１〜１０のいずれか１項に記載の情報表示用パネル。
【請求項１２】
表示媒体が配置される空間における、前記中央凸状部材側面部と隔壁との距離Ｗｔが、表示媒体を構成する粒子の平均粒子径ｄ（０．５）に対して、
３×ｄ（０．５）≦Ｗｔ
を満たすことを特徴とする請求項１〜１１のいずれか１項に記載の情報表示用パネル。
【請求項１３】
中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことを特徴とする請求項１〜１２のいずれか１項に記載の情報表示用パネル。
【発明の詳細な説明】
【技術分野】
【０００１】
本発明は、電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルに関するものである。
【背景技術】
【０００２】
従来、液晶表示装置（ＬＣＤ）に代わる情報表示装置に用いる表示パネルとして、マイクロカプセルを用いた電気泳動粒子駆動型表示パネルや、電子粉流体方式表示パネルなどの電界駆動可能な粒子からなる表示媒体を用いた情報表示用パネルを搭載した情報表示装置が知られている。
【０００３】
電子粉流体方式表示パネルとしては、少なくとも一方が透明な対向する２枚の基板間の空間に、少なくとも１種類以上の粒子から構成される光学的反射率および帯電性を有する表示媒体を少なくとも１種類以上封入し、表示媒体に電界を付与することによって、表示媒体を移動させて画像等の情報を表示する方式の情報表示用パネルを用いたものが知られている（例えば特許文献１）。
【０００４】
上述した帯電粒子で構成された表示媒体を電界駆動する方式の情報表示用パネルの代表例を、図２０〜図２２を用いて説明する。
電界駆動可能な帯電粒子で構成された表示媒体３３を２枚の基板３１、３２間の空間に封入し、基板３１、３２のそれぞれに設けた電極３５、３６から電界を付与することで、表示媒体３３を移動させて画像等の情報表示を書き換えできるドットマトリックス型表示方式の両面表示可能な情報表示用パネルを示している。また、表示媒体３３を封入する基板３１、３２間の空間は、隔壁３４により複数のセル（小部屋）３７で仕切られている。これにより、封入した表示媒体３３が偏ることを防止できる。なお、図２２に示すように、表示媒体３３をマイクロカプセル４９に封止した場合には、このマイクロカプセルがセル（小部屋）の機能を有するので、さらにセル（小部屋）を設けなくても良い。
【０００５】
図２０（ａ）、（ｂ）に示す例では、それぞれのセル３７に、白色表示媒体３３Ｗと黒色表示媒体３３Ｂとの２色の組み合わせの表示媒体を封入して白黒ドット表示している。図２０（ａ）、（ｂ）ともに全ての白色表示媒体を表示面側基板に移動させて、白表示を観察者に対して行っている。図２０（ａ）と図２０（ｂ）との相違点は、図２０（ａ）に示す例では画素（表示単位）をライン電極３５、３６が交差して形成する対電極で構成しているのに対し、図２０（ｂ）に示す例では画素（表示単位）を個別電極３５、３６からなる対電極で構成している点である。
【０００６】
図２１（ａ）、（ｂ）に示す例では、３つのセル３７を表示単位（１画素：１ドット）とし、それぞれのセル３７の視認側に、３原色カラーフィルタ４１Ｒ、４１Ｇ、４１ＢＬを配置し、白色表示媒体３３Ｗと黒色表示媒体３３Ｂの２色の表示媒体によってカラー表示している。図２１（ａ）、（ｂ）とも観察者に対し青色ドット表示を行っている。図２１（ａ）と図２１（ｂ）との相違点は、図２１（ａ）に示す例では表示単位とする３つのセルに対応するライン電極３５、３６が交差して形成する対電極で１画素（ピクセル）を構成しているのに対し、図２１（ｂ）に示す例では表示単位とする３つのセルに対応する個別電極３５、３６からなる対電極で１ピクセルを構成している点である。
【０００７】
図２２（ａ）、（ｂ）に示す例では、上述の、隔壁３４で形成されたセルの代わりに、白黒２色の帯電粒子からなる表示媒体を絶縁液体４８とともに充填したマイクロカプセル４９を配置している。図２２（ａ）と図２２（ｂ）との相違点は、図２２（ａ）に示す例では画素（表示単位）をライン電極３５、３６が交差して形成する対電極で構成しているのに対し、図２２（ｂ）に示す例では画素（表示単位）を個別電極３５、３６からなる対電極で構成している点である。
【特許文献１】国際公開第２００３／０５０６０６号パンフレット
【発明の開示】
【発明が解決しようとする課題】
【０００８】
上述した情報表示用パネルの代表例では、２枚の基板間に、隔壁で形成されたセルやマイクロカプセル型のセルを配置し、そのセルの１つ１つに２色の電界駆動可能な表示媒体（例えば、白色帯電粒子と黒色帯電粒子）を封入した構成としており、１つのセル内で２色の表示媒体を移動させて情報画像の表示を行っている。
２色の表示媒体は電界に対して互いに反対の方向に移動しようとするため、移動時に衝突し合いスムーズに移動できない場合があった。
そのため、白画像表示時に一部黒色表示媒体が混在して白色度を低下させたり、逆に、黒画像表示時に一部白色表示媒体が混在して黒色度を低下させたりする問題があった。
【０００９】
本発明の目的は上述した問題点を解消して、白色度および黒色度を低下させることなく鮮明な画像表示が行える情報表示用パネルを提供することにある。
【課題を解決するための手段】
【００１０】
本発明の情報表示用パネルの第１発明は、電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、１つのセルまたは隣り合う複数のセルで１表示単位を構成し、各セルの背面側基板に前記表示媒体の色とは異なる色を少なくとも上面に有する中央凸状部材を設け、前記中央凸状部材上面と表示側透明基板との間および前記中央凸状部材と隔壁との間、に表示媒体が配置される空間を形成することを特徴とするものである。
【００１１】
本発明の情報表示用パネルの第１発明において、前記１表示単位が、１以上１６以下のセルによって構成されること、または、前記表示媒体の色を白以外の色とし、前記中央凸状部材の色を白色とすることが好適である。
【００１２】
本発明の情報表示用パネルの第２発明は、電界駆動可能な粒子からなる少なくとも２色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、第１色の表示媒体を封入した１つ以上のセルと第２色の表示媒体を封入した１つ以上のセルとからなる複数のセルで１表示単位を構成し、各セルの背面側基板に中央凸状部材を設け、前記中央凸状部材上面と表示側透明基板との間および前記中央凸状部材と隔壁との間、に表示媒体が配置される空間を形成する
ことを特徴とするものである。
【００１３】
本発明の情報表示用パネルの第１発明において、前記１表示単位が、２以上１６以下のセルによって構成されること、前記中央凸状部材上面の色が、白色であること、あるいは、前記中央凸状部材が、透明無色であり、表面にミクロな凹凸を有することが好適である。
【００１４】
また、本発明の情報表示用パネルの第１発明および第２発明において、前記中央凸状部材が背面側基板のセル中央に設けられ、前記中央凸状部材と前記セルを形成する全ての隔壁との間に表示媒体が配置される空間を形成することが好適である。
【００１５】
また、本発明の情報表示用パネルの第１発明および第２発明において、前記セルが四角形の場合、前記中央凸状部材と、前記セルを形成する隔壁のうち１乃至４つの隔壁とにより、表示媒体が配置される空間を形成することが好適である。
【００１６】
また、本発明の情報表示用パネルの第１発明および第２発明において、前記中央凸状部材上面の色が、前記中央凸状部材が配置されているセルに封入された表示媒体の色と異なる色であることが好適である。
【００１７】
また、本発明の情報表示用パネルの第１発明および第２発明において、前記中央凸状部材の高さＨｔが、基板間の距離Ｈｗに対して、
Ｈｗ／４≦Ｈｔ≦Ｈｗ／２
を満たすことが好適である。
【００１８】
また、本発明の情報表示用パネルの第１発明および第２発明において、表示媒体が配置される空間における、前記中央凸状部材側面部と隔壁との距離Ｗｔが、表示媒体を構成する粒子の平均粒子径ｄ（０．５）に対して、
３×ｄ（０．５）≦Ｗｔ
を満たすことが好適である。
【００１９】
また、本発明の情報表示用パネルの第１発明および第２発明において、中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。
【発明の効果】
【００２０】
本発明の第１発明および第２発明によれば、電界駆動可能な粒子からなる少なくとも１色の表示媒体を基板間の隔壁で互いに隔離されたセルによる空間に封入し、両基板側に設けた電極で形成された対電極から電界を付与することで表示媒体を移動させることによって画像等の情報表示を書換えできるドットマトリックス型表示方式の情報表示用パネルにおいて、１つのセルまたは隣り合う複数のセルで１表示単位を構成し、各セルの背面側基板に前記表示媒体の色とは異なる色を少なくとも上面に有する中央凸状部材を設け、前記中央凸状部材上面と表示側透明基板との間および前記中央凸状部材と隔壁との間に表示媒体が配置される空間を形成すること、あるいは、少なくとも２色の表示媒体を用いる場合、第１色の表示媒体を封入した１つ以上のセルと第２色の表示媒体を封入した１つ以上のセルとからなる複数のセルで１表示単位を構成し、各セルの背面側基板に中央凸状部材を設け、前記中央凸状部材上面と表示側透明基板との間および前記中央凸状部材と隔壁との間に表示媒体が配置される空間を形成することにより、白色度および黒色度を低下させることなく鮮明な画像表示が行える情報表示用パネルを提供することが可能となる。
【発明を実施するための最良の形態】
【００２１】
まず、本発明の情報表示用パネルの基本的な構成について説明する。本発明の情報表示用パネルでは、対向する２枚の基板間の空間に封入した少なくとも１種類以上の粒子で構成された光学的反射率と帯電性とを有する表示媒体に電界が付与される。付与された電界方向にそって、帯電した表示媒体が電界による力やクーロン力などによって引き寄せられ、表示媒体が電界方向の変化によって移動することにより、画像等の情報表示がなされる。従って、表示媒体が、均一に移動し、かつ、繰り返し表示を書き換える時あるいは表示情報を継続して表示する時の安定性を維持できるように、情報表示用パネルを設計する必要がある。ここで、表示媒体を構成する粒子にかかる力は、粒子同士のクーロン力により引き付けあう力の他に、電極や基板との電気鏡像力、分子間力、液架橋力、重力などが考えられる。
【００２２】
本発明の情報表示用パネルの例を、図１（ａ）、（ｂ）〜図９（ａ）、（ｂ）に基づき説明する。
【００２３】
図１（ａ）、（ｂ）に示す例では、１種類の黒色表示媒体３Ｂを、隔壁４で形成された各セルに封入し、１個のセルで１表示単位（画素）としている。この黒色表示媒体３Ｂは、背面側基板１に設けた電極５（ライン電極）と表示面側透明基板２に設けた電極６（ライン電極）とが交差して形成する対電極の間に電圧を印加することにより発生する電界に応じて、基板１、２と垂直に移動する。各セル内の背面側基板１には、少なくとも上面が白色を呈する白色中央凸状部材１１Ｗを設ける。白色中央凸状部材１１Ｗは各セル内の背面側基板１の中央部に設けられ、中央凸状部材１１と隔壁４との空間に背面側基板１の方に移動した黒色表示媒体３Ｂを配置する。このように背面側基板１の方に移動した表示媒体はセルの端に位置するようになり観察者から見えなくなる。
そして、図１（ａ）に示すように白色中央凸状部材１１Ｗと黒色表示媒体３Ｂとを観察者に視認させて白黒のドット表示を行ったり、図１（ｂ）に示すように黒色表示媒体３Ｂと白色中央凸状部材１１Ｗとを観察者に視認させて白黒のドット表示を行ったりする。黒色表示媒体の移動のさせ方で白ドット黒ドットによる白黒表示を行うことができる。
なお、図１（ａ）、（ｂ）において、手前にある隔壁は省略している。
中央凸状部材の色と、表示媒体の色は異なる色であれば、その組合せは白黒に限るものではない。
【００２４】
中央凸状部材は、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等のプラスチック系基板をエンボス加工すると容易に形成できる。その他、背面側基板にフォトリソ法やプリンティング法を用いて形成したり、スパッタリング法、真空蒸着法、ＣＶＤ（化学蒸着）法、塗布法を用いて形成したりする。
【００２５】
図２（ａ）、（ｂ）に示す例では、１種類の黒色表示媒体３Ｂを、隔壁４で形成された各セルに封入し、２個のセルで１表示単位（画素）としている。図２の構成は、１表示単位を１個のセルではなく２個のセルで構成している以外は図１の構成と同様である。
【００２６】
図３（ａ）、（ｂ）に示す例では、１種類の黒色表示媒体３Ｂを、隔壁４で形成された各セルに封入し、３個のセルで１表示単位（画素）としている。図３の構成は、１表示単位を１個のセルではなく３個のセルで構成している以外は図１の構成と同様である。
【００２７】
図４（ａ）、（ｂ）に示す例では、１種類以上の粒子から構成される光学的反射率および帯電特性の異なる２種類の表示媒体３（白色表示媒体３Ｗと黒色表示媒体３Ｂ）を、隔壁４で形成された各セルに封入し、白色表示媒体３Ｗを封入したセルと黒色表示媒体３Ｂを封入したセルとの２個のセルで１表示単位（画素）としている。この２種類の表示媒体３は、背面側基板１に設けた電極５（ライン電極）と表示面側透明基板２に設けた電極６（ライン電極）とが交差して形成する対電極の間に電圧を印加することにより発生する電界に応じて、基板１、２と垂直に移動する。各セル内の背面側基板１には、中央凸状部材１１を設ける。白色表示媒体３Ｗを封入したセルには少なくとも上面が黒色を呈する黒色中央凸状部材１１Ｂを、黒色表示媒体３Ｂを封入したセルには少なくとも上面が白色を呈する白色中央凸状部材１１Ｗを設けることが好適である。中央凸状部材１１は各セル内の背面側基板１の中央部に設けられ、中央凸状部材１１と隔壁４との空間に背面側基板１の方に移動した表示媒体３を配置する。このように背面側基板１の方に移動した表示媒体はセルの端に位置するようになり観察者から見えなくなる。
そして、図４（ａ）に示すように黒色表示媒体３Ｂおよび黒色中央凸状部材１１Ｂを観察者に視認させて黒色の表示を行ったり、図４（ｂ）に示すように白色表示媒体３Ｗおよび白色中央凸状部材１１Ｗを観察者に視認させて白色の表示を行ったりする。図４に示すように、封入されている表示媒体の２色の組合せと、中央凸状部材の２色の組合せとを同じものとして用いることによって、表示画面の白色濃度および黒色濃度を向上することができる。
なお、図４（ａ）、（ｂ）において、手前にある隔壁は省略している。
図４において、全ての中央凸状部材の色を同色にしても良いが、この場合は、全て白色または無色とすることが好ましい。白色または無色の中央凸状部材を用いることによって、黒色濃度は低下するが白色濃度が向上し全体の明るさが向上する。
【００２８】
図５（ａ）、（ｂ）に示す例では、１種類以上の粒子から構成される光学的反射率および帯電特性の異なる２種類の表示媒体３（白色表示媒体３Ｗと黒色表示媒体３Ｂ）を、隔壁４で形成された各セルに封入し、３個のセルで１表示単位（画素）としている。図５の構成は、１表示単位を２個のセルではなく３個のセルで構成している以外は図４の構成と同様である。
【００２９】
図６（ａ）、（ｂ）に示す例では、１種類以上の粒子から構成される光学的反射率および帯電特性の異なる２種類の表示媒体３（白色表示媒体３Ｗと黒色表示媒体３Ｂ）を、隔壁４で形成された各セルに封入し、６個のセルで１表示単位（画素）としている。図６の構成は、１表示単位を２個のセルではなく６個のセルで構成している以外は図４の構成と同様である。
【００３０】
図７（ａ）、（ｂ）に示す例では、１種類以上の粒子から構成される光学的反射率および帯電特性の異なる２種類の表示媒体３（白色表示媒体３Ｗと赤色表示媒体３Ｒ）を、隔壁４で形成された各セルに封入し、白色表示媒体３Ｗを封入したセルと赤色表示媒体３Ｒを封入したセルとの２個のセルで１表示単位（画素）としている。この２種類の表示媒体３は、背面側基板１に設けた電極５（個別電極）と表示面側透明基板２に設けた電極６（個別電極）とが交差して形成する対電極の間に電圧を印加することにより発生する電界に応じて、基板１、２と垂直に移動する。各セル内の背面側基板１には、中央凸状部材１１を設ける。白色表示媒体３Ｗを封入したセルには少なくとも上面が赤色を呈する赤色中央凸状部材１１Ｒを、赤色表示媒体３Ｒを封入したセルには少なくとも上面が白色を呈する白色中央凸状部材１１Ｗを設けることが好適である。中央凸状部材１１は各セル内の背面側基板１の中央部に設けられ、中央凸状部材１１と隔壁４との空間に背面側基板１の方に移動した表示媒体３を配置する。このように背面側基板１の方に移動した表示媒体はセルの端に位置するようになり観察者から見えなくなる。
そして、図７（ａ）に示すように白色表示媒体３Ｗおよび白色中央凸状部材１１Ｗを観察者に視認させて白色の表示を行ったり、図７（ｂ）に示すように赤色表示媒体３Ｒおよび赤色中央凸状部材１１Ｒを観察者に視認させて赤色の表示を行ったりする。図７に示すように、封入されている表示媒体の２色の組合せと中央凸状部材の２色の組合せとを同じものとして用いることによって、表示画面の白色濃度および赤色濃度を向上することができる。
なお、図７（ａ）、（ｂ）において、手前にある隔壁は省略している。
図７において、全ての中央凸状部材の色を同色にしても良いが、この場合は、全て白色または無色とすることが好ましい。白色または無色の中央凸状部材を用いることによって、黒色濃度は低下するが白色濃度が向上し全体の明るさが向上する。
【００３１】
図８（ａ）、（ｂ）に示す例では、まず、図８（ａ）に示すように、１種類以上の粒子から構成される光学的反射率および帯電特性の異なる２種類の表示媒体３（白色表示媒体３Ｗと黒色表示媒体３Ｂ）を、隔壁４で形成された各セルに封入し、白色表示媒体３Ｗを封入したセルと黒色表示媒体３Ｂを封入したセルとの２個のセルで１表示単位（画素）としている。この２種類の表示媒体３は、基板１の外側に配置した外部電界形成手段２５の電極と基板２の外側に配置した外部電界形成手段２６の電極とが形成する対電極の間に電圧を印加することにより発生する電界に応じて、基板１、２と垂直に移動させる。各セル内の背面側基板１には、中央凸状部材１１を設ける。白色表示媒体３Ｗを封入したセルには黒色中央凸状部材１１Ｂを、黒色表示媒体３Ｂを封入したセルには白色中央凸状部材１１Ｗを設けることが好適である。中央凸状部材１１は各セル内の背面側基板１の中央部に設けられ、中央凸状部材１１と隔壁４との空間に背面側基板１の方に移動した表示媒体３を配置する。このように背面側基板１の方に移動した表示媒体はセルの端に位置するようになり観察者から見えなくなる。そして、情報表示用パネルを、外部電界形成手段２５と２６の間から取り出すと、図８（ｂ）に示すように白色表示媒体３Ｗおよび白色中央凸状部材１１Ｗを観察者に視認させた白色表示を行うことができる。
なお、図８（ａ）、（ｂ）において、手前にある隔壁は省略している。また、基板１の内側には導電部材２７を設けるとともに、基板２の内側には導電部材２８を設けている。この導電部材は表示媒体を構成する粒子と基板との付着性に関与し、その都度導電性の最適設計に基づき設けられるが、設けなくてもよい。
【００３２】
図４〜８の例のように、少なくとも２色の表示媒体を用いる場合、１表示単位を構成するセル数としては２〜１６個の範囲が好ましい。これは、１表示単位の面積が表示する画像の精細度に係るため、１表示単位に配置するセルの数を多くするためにはセル面積を小さくしなければならないが、表示媒体を構成する粒子の適正なサイズ（平均粒子径ｄ（０．５））の範囲が、１〜２０μｍにあることからセル面積を小さくするには限界があるからである。
【００３３】
図９（ａ）、（ｂ）に示す例では、基本の構成は図４に示す例と同じとし、白色表示媒体３Ｗを封入したセルと黒色表示媒体３Ｂを封入したセルとの２個のセルに対して１つのカラーフィルタを表示面側基板２に配置し、赤色カラーフィルタ２２Ｒ、緑色カラーフィルタ２２Ｇ、青色カラーフィルタ２２ＢＬを配置した６個のセルで１表示単位を構成するカラー表示の例を示している。各セル内の背面側基板１には、白色中央凸状部材１１Ｗを設けている。
図９（ａ）に示すように、１表示単位中にあるすべての白色表示媒体３Ｗを観察者側に移動し、すべての黒色表示媒体３Ｂを背面側に移動することで、観察者に対し白色ドット表示を行い、図９（ｂ）に示すように、赤色カラーフィルタ２２Ｒが配置されたセルは白色表示媒体３Ｗを、緑色カラーフィルタ２２Ｇおよび青色カラーフィルタ２２ＢＬが配置されたセルは黒色表示媒体３Ｂを観察者側に移動することで、観察者に対し赤色ドット表示を行っている。各セルの表示媒体の移動のさせ方で多色カラー表示ができる。なお、図９（ａ）、（ｂ）において、手前にある隔壁は省略している。
白色表示媒体を封入したセルと黒色表示媒体を封入したセルとの組合せは、図４および図５に示すように、白色表示媒体を封入したセルを１個、黒色表示媒体を封入したセルを１個としたり、白色表示媒体を封入したセルを２個、黒色表示媒体を封入したセルを１個としたり、と自由である。カラー表示においては白色表示媒体を封入したセルを多く組合わせるのが反射効率を高められ明るい表示となるので好ましい。また、カラーフィルタ毎に配置するセルの数を変えることによって表示状態を調整できる。
【００３４】
本発明の情報表示用パネルのセルの構成例を、図１０（ａ）、（ｂ）〜図１４（ａ）〜（ｃ）に基づき説明する。
各セルにおいて、対電極となる電極５、６はセル内側に封入した表示媒体と接するように配置する。この場合、電極エッジは隔壁に隠れないように配置するのが好ましい。
【００３５】
図１０（ａ）〜図１２（ａ）は本発明の情報表示用パネルのセルの上面図、図１０（ｂ）〜図１２（ｂ）はそれぞれ図１０（ａ）〜図１２（ａ）のＡ−Ａ断面図である。
図１０〜図１２において、いずれも四角形のセルの中央に中央凸部材１１を設け、中央凸部材１１とセルを形成する４辺の隔壁４との間には空間を設けてある。この空間に背面側基板の電極に引き付けられた表示媒体が配置される。図１０〜図１２の違いはその断面図に示すように、中央凸部材１１の形状にあり、図１０（ｂ）では中央凸部材１１はその上部が曲率半径の大きい曲面形状であり、図１１（ｂ）では中央凸部材１１は三角屋根の形状であり、図１２（ｂ）では中央凸部材１１は角柱の上に三角屋根を重ねた形状である。
【００３６】
なお、図１０（ｂ）において、中央凸状部材１１の高さＨｔが、対向する基板５、６の間の距離Ｈｗに対して、
Ｈｗ／４≦Ｈｔ≦Ｈｗ／２
を満たすことが好適である。Ｈｔ＜Ｈｗ／４の場合、表示媒体を構成する粒子が中央凸状部材１１と隔壁との空間に収まりきらずに、中央凸状部材１１との上にも配置されてしまうおそれがある。また、Ｈｗ／２＜Ｈｔの場合、表示媒体を構成する粒子が中央凸状部材１１の上部を移動しにくく、表示面となる基板面全体に広がりにくいというおそれがある。
また、中央凸部材１１と、セルを形成する隔壁のうち少なくとも１辺の隔壁との間に空間を設ける場合、中央凸状部材１１と隔壁との距離Ｗｔが、表示媒体を構成する粒子の平均粒子径ｄ（０．５）に対して、
３×ｄ（０．５）≦Ｗｔ
を満たすことが好適である。上記の範囲にない場合、表示媒体を構成する粒子が中央凸状部材１１と隔壁との空間に移動しにくかったり、収まりきらなかったりするおそれがある。
また、中央凸状部材の高さＨｔと、基板間の距離Ｈｗとが、表示媒体を構成する粒子の平均粒子径ｄ（０．５）に対して、
３×ｄ（０．５）≦Ｈｗ
２×ｄ（０．５）＜Ｈｗ−Ｈｔ
を満たすことが好適である。上記の範囲としたのは、表示面側基板から中央凸状部材までの距離Ｈｗ−Ｈｔが小さいと、表示媒体を構成する粒子が移動しにくく、距離Ｈｗ−Ｈｔが大きいと、表示媒体を構成する粒子を移動させるために駆動電圧を高くする必要があるからである。
【００３７】
図１３（ａ）、図１４（ａ）は本発明の情報表示用パネルの他の例となるセルの上面図、図１３（ｂ）、図１４（ｂ）はそれぞれ図１３（ａ）、図１４（ａ）のＡ−Ａ断面図、図１３（ｃ）、図１４（ｃ）はそれぞれ図１３（ａ）、図１４（ａ）のＢ−Ｂ断面図である。
図１３、図１４において、いずれも四角形のセルの対向する２辺の隔壁に接するように中央凸部材１１を設け、その他の２辺の隔壁と中央凸部材１１との間に空間を設け、この空間に背面側基板の電極に引き付けられた表示媒体が配置される。図１３では、中央凸部材１１と接する隔壁がセルの長辺であり、図１４では、中央凸部材１１と接する隔壁がセルの短辺である。図１３、図１４のその他の違いは、その断面図に示すように、中央凸部材１１の形状にあり、図１３（ｂ）に示すように中央凸部材１１は三角屋根の形状であり、図１４（ｃ）に示すように中央凸部材１１は角柱の上に三角屋根を重ねた形状である。
中央凸状部材の水平方向の断面形状は、セル形状と合わせるのが好ましく、角丸付き四角形が好ましい。表示媒体の動きやすさを得るために、側面は平滑にするのが好ましい。
【００３８】
中央凸状部材は、中央凸状部材が配置されているセルに封入された表示媒体の色と異なる色であることが好適である。また、中央凸状部材は、白色、あるいは、透明無色でもよい。透明無色の中央凸状部材を用いる場合、頂上面には微細な凹凸があると、表面のミクロ凹凸による散乱反射を大きくでき、それゆえ白く見えるので好ましい。
【００３９】
本発明の情報表示用パネルの１表示単位の構成例を、図１５（ａ）〜（ｈ）〜図１７（ａ）〜（ｈ）に基づき説明する。
【００４０】
図１５（ａ）〜（ｄ）は白表示時、図１５（ｅ）〜（ｈ）は図１５（ａ）〜（ｄ）にそれぞれ対応する黒表示時の本発明の情報表示用パネルの１表示単位の構成例である。
図１５に示す例は、上述した図１０〜図１２に示す例のように、いずれも四角形のセルの中央に中央凸部材１１を設け、中央凸部材１１とセルを形成する４辺の隔壁４との間には空間を設けてあり、この空間に背面側基板の電極に引き付けられた表示媒体が配置される。
図１５（ａ）、（ｅ）に示す例では、１表示単位を、図中点線で囲むように、白色表示媒体を封入したセル１つと黒色表示媒体を封入したセル１つとの２つにより構成している。なお、白色表示媒体を封入したセルには黒色中央凸状部材１１Ｂを配置し、黒色表示媒体を封入したセルには白色中央凸状部材１１Ｗを配置している。
図１５（ｂ）、（ｆ）に示す例では、１表示単位を、図中点線で囲むように、白色表示媒体を封入したセル４つと黒色表示媒体を封入したセル２つとの６つにより構成している。なお、白色中央凸状部材１１Ｗを全てのセルに配置しているが、透明中央凸状部材を用いてもよい。
図１５（ｃ）、（ｇ）に示す例では、１表示単位を、図中点線で囲むように、白色表示媒体を封入したセル４つと黒色表示媒体を封入したセル２つとの６つにより構成している。なお、白色中央凸状部材１１Ｗを全てのセルに配置しているが、透明中央凸状部材を用いてもよい。
図１５（ｄ）、（ｈ）に示す例では、１表示単位を、図中点線で囲むように、白色表示媒体を封入したセル３つと黒色表示媒体を封入したセル３つとの６つにより構成している。なお、白色中央凸状部材１１Ｗを全てのセルに配置しているが、透明中央凸状部材を用いてもよい。
【００４１】
図１６（ａ）、（ｂ）はそれぞれ、白表示時および黒表示時の本発明の情報表示用パネルの１表示単位の構成例である。
図１６に示す例は、上述した図１０〜図１２に示す例のように、いずれも四角形のセルの中央に中央凸部材１１を設け、中央凸部材１１とセルを形成する４辺の隔壁４との間には空間を設けてあり、この空間に背面側基板の電極に引き付けられた表示媒体が配置される。
１表示単位を、図中点線で囲むように、白色表示媒体を封入したセル４つと黒色表示媒体を封入したセル４つとの８つにより構成している。なお、白色表示媒体を封入したセルには黒色中央凸状部材１１Ｂを配置し、黒色表示媒体を封入したセルには白色中央凸状部材１１Ｗを配置している。
【００４２】
図１７（ａ）〜（ｈ）は本発明の情報表示用パネルの１表示単位のその他の構成例である。図１７に示す例は、上述した図１０〜図１２に示す例のように、いずれも四角形のセルの中央に中央凸部材１１を設け、中央凸部材１１とセルを形成する４辺の隔壁４との間には空間を設けてあり、この空間に背面側基板の電極に引き付けられた表示媒体が配置される。
図１７（ａ）は白表示時、図１７（ｅ）は黒表示時を示し、１表示単位を、図中点線で囲むように、白色表示媒体を封入したセル４つと黒色表示媒体を封入したセル４つとの８個により構成している。なお、白色表示媒体を封入したセルには黒色中央凸状部材１１Ｂを配置し、黒色表示媒体を封入したセルには白色中央凸状部材１１Ｗを配置している。
図１７（ｂ）は白表示時、図１７（ｆ）は黒表示時を示し、１表示単位を、図中点線で囲むように、白色表示媒体を封入したセル８つと黒色表示媒体を封入したセル８つとの１６個により構成している。なお、白色表示媒体を封入したセルには黒色中央凸状部材１１Ｂを配置し、黒色表示媒体を封入したセルには白色中央凸状部材１１Ｗを配置している。
図１７右側に示す、（ｃ）、（ｇ）、（ｄ）、（ｈ）は、本第１発明に対する実施例であり、図１７（ｃ）、（ｇ）に示す例では、全てのセルに黒色表示媒体と白色中央凸状部材を配置し、１表示単位を、図中点線で囲むように、６つのセルにより構成している。なお、白色中央凸状部材１１Ｗを全てのセルに配置しているが、１表示単位を構成するセルの一部に透明中央凸状部材や黒色中央凸状部材を用いてもよい。
図１７（ｄ）、（ｈ）に示す例では、全てのセルに黒色表示媒体と白色中央凸状部材を配置し、１表示単位を、図中点線で囲むように、３つのセルにより構成している。なお、白色中央凸状部材１１Ｗを全てのセルに配置しているが、１表示単位を構成するセルの一部に透明中央凸状部材や黒色中央凸状部材を用いてもよい。また、図１７（ｃ）、（ｇ）、（ｄ）、（ｈ）には、黒色表示媒体を用いた例を示したが、白色表示媒体を用いて、中央凸状部材に白色のものや透明なものを用いる構成でもよい。
【００４３】
図１８（ａ）、（ｂ）は白表示時、図１８（ｃ）、（ｄ）は図１８（ａ）、（ｂ）にそれぞれ対応する黒表示時の本第２発明の情報表示用パネルの１表示単位の構成例である。
図１８に示す例は、図９、図１０に示す例のように、いずれも四角形のセルの対向する２辺の隔壁に接するように中央凸部材１１を設け、その他の２辺の隔壁と中央凸部材１１との間に空間を設け、この空間に背面側基板の電極に引き付けられた表示媒体が配置される。図１８（ａ）、（ｃ）では、中央凸部材１１と接する隔壁がセルの短辺であり、図１８（ｂ）、（ｄ）では、中央凸部材１１と接する隔壁がセルの長辺である。
図１８に示す例では、１表示単位を、図中点線で囲むように、白色表示媒体を封入したセル１つと黒色表示媒体を封入したセル１つとの２つにより構成している。なお、白色表示媒体を封入したセルには黒色中央凸状部材１１Ｂを配置し、黒色表示媒体を封入したセルには白色中央凸状部材１１Ｗを配置している。
【００４４】
以下、本発明の情報表示用パネルを構成する各部材について説明する。
【００４５】
基板については、少なくとも一方の基板（表示面側基板）は情報表示用パネル外側から表示媒体の色が確認できる透明な基板であり、可視光の透過率が高くかつ耐熱性の良い材料が好適である。背面側基板は透明でも不透明でもかまわない。基板材料を例示すると、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリル等のプラスチック系基板やガラス基板を用いる。背面側をプラスチック系基板とすると、セルに設ける中央凸状部材を形成しやすいので好ましい。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００４６】
情報表示用パネルに電極や導電部材を設ける場合の電極や導電部材の形成材料としては、アルミニウム、銀、ニッケル、銅、金等の金属類や酸化インジウム錫（ＩＴＯ）、亜鉛ドープ酸化インジウム（ＩＺＯ）、酸化インジウム、導電性酸化錫、アンチモン錫酸化物（ＡＴＯ）、導電性酸化亜鉛等の導電金属酸化物類、ポリアニリン、ポリピロール、ポリチオフェンなどの導電性高分子類が例示され適宜選択して用いられる。電極や導電部材の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法の他、金属箔をラミネートする方法（例えば、圧延銅箔）が用いられる。視認側であり透明である必要のある表示面側基板２に設ける電極や導電部材は透明である必要があるが、背面側基板１に設ける電極や導電部材は透明である必要はない。いずれの場合もパターン形成可能で導電性である上記材料を好適に用いることができる。なお、電極や導電部材の厚みは、導電性が確保でき光透過性に支障がなければ良く、３〜１０００ｎｍ、好ましくは５〜４００ｎｍが好適である。背面側基板１に設ける電極や導電部材の材質や厚みなどは上述した表示面側基板に設ける電極や導電部材と同様であるが、透明である必要はない。背面側基板に設ける電極は、あとからエンボス加工を施して中央凸状部材を形成する場合にも電極切れが発生することがない圧延性の高い金属材料が好ましい。
【００４７】
情報表示用パネルの基板間の空間にセルを形成するための隔壁において、隔壁の高さや幅は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。表示側基板と背面側基板とを重ね合わせて得られる情報表示用パネルにおけるセルは図１９に示すごとく、基板平面方向からみて四角形状、三角形状、六角形状等の多角形状が例示されるが、円形状、楕円形状、レーストラック形状などいずれでもよいし、異なる形状を組み合わせてもよい。このうち、このうち表示媒体が移動しやすいものとして角丸付きの多角形状（特には角丸付き四角形状）、円形状、楕円形状、レーストラック形状が好ましい。配置としては格子状が好ましく、角丸付き四角形のセルを格子状に配置する構成が好ましく用いられる。表示面側から見える隔壁断面部分に相当する部分（隔壁の幅によって形成されるセルの枠部の面積）はできるだけ小さくした方が良く、表示状態の鮮明さが増す。
ここで、隔壁の形成方法を例示すると、金型転写法、スクリーン印刷法、サンドブラスト法、フォトリソ法、アディティブ法が挙げられる。いずれの方法も好適に用いることができるが、これらのうち、レジストフィルムを用いるフォトリソ法や金型転写法が好適に用いられる。
【００４８】
次に、本発明の情報表示用パネルにおいて表示媒体を構成する表示用粒子（以下、粒子ともいう）について説明する。表示用粒子は、そのまま該表示用粒子だけで構成して表示媒体としたり、その他の粒子と合わせて構成して表示媒体としたりして用いられる。
粒子には、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００４９】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００５０】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００５１】
着色剤としては、以下に例示するような、有機または無機の各種、各色の顔料、染料が使用可能である。
【００５２】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００５３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００５４】
体質顔料としては、バライト粉、炭酸バリウム、クレー、シリカ、ホワイトカーボン、
タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００５５】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
上記着色剤を配合して所望の色の表示用粒子を作製できる。
【００５６】
また、本発明に用いる表示用粒子は平均粒子径d(0.5)が、１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００５７】
更に本発明に用いる表示用粒子では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、表示媒体としての均一な移動が可能となる。
【００５８】
さらにまた、各表示用粒子の相関について、使用した粒子の内、最大径を有する粒子のd(0.5)に対する最小径を有する粒子のd(0.5)の比を５０以下、好ましくは１０以下とすることが肝要である。
【００５９】
なお、上記表示用粒子の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.)測定機を用いて、窒素気流中に粒子を投入し、付属の解析ソフト（Ｍｉｅ理論を用いた体積基準分布を基本としたソフト）にて、粒子径および粒子径分布の測定を行うことができる。
【００６０】
表示用粒子の帯電量は当然その測定条件に依存するが、情報表示用パネルにおける表示用粒子の帯電量はほぼ、初期帯電量、隔壁との接触、基板との接触、経過時間に伴う電荷減衰に依存し、特に表示用粒子の帯電挙動の飽和値が支配因子となっているということが分かった。
【００６１】
本発明者らは鋭意検討の結果、ブローオフ法において同一のキャリア粒子を用いて、表示用粒子の帯電量測定を行うことにより、表示用粒子の適正な帯電特性値の範囲を評価できることを見出した。
【００６２】
更に、本発明の情報表示用パネルを、気体中空間で粒子からなる表示媒体を駆動する乾式の情報表示用パネルとして構成する場合は、表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、例えば、図１（ａ）において、対向する基板１、基板２に挟まれる部分から、電極５、６（電極を基板内側に設けた場合）、表示媒体３の占有部分、隔壁４の占有部分、中央凸状部材１１の占有部分、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体を構成する粒子の充填、情報表示用パネルの組み立てなどを所定湿度環境下にて行い、さらに、外からの湿度侵入を防ぐシール剤、シール方法を施すことが肝要である。セル内空間を気体空間とする情報表示用パネルが好ましいが、セル内空間を透明な絶縁液体空間とすることもできる。
【００６３】
本発明の情報表示用パネルにおける基板と基板との間隔は、表示媒体が移動できて、コントラストを維持できればよいが、通常１０〜５００μｍ、好ましくは１０〜２００μｍに調整される。
対向する基板間のセル内空間における表示媒体の体積占有率は５〜７０％が好ましく、さらに好ましくは５〜６０％である。７０％を超える場合には表示媒体としての移動に支障をきたし、５％未満の場合にはコントラストが不明確となり易い。
【産業上の利用可能性】
【００６４】
本発明の情報表示用パネルは、ノートパソコン、電子手帳、ＰＤＡ（Personal Digital Assistants）と呼ばれる携帯型情報機器、携帯電話、ハンディーターミナル等のモバイル機器の表示部、電子書籍、電子新聞、電子マニュアル（取扱説明書）等の電子ペーパー、看板、ポスター、黒板（ホワイトボード）等の掲示板、電子卓上計算機、家電製品、自動車用品等の表示部、ポイントカード、ＩＣカード等のカード表示部、電子広告、情報ボード、電子ＰＯＰ（Point Of Presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部に好適に用いられる他、外部電界形成手段を用いて表示媒体駆動を行うリライタブルペーパーとしても好適に用いられる。
【００６５】
なお、本発明の情報表示用パネルの駆動方式については、パネル自体にスイッチング素子を用いない単純マトリックス駆動方式やスタティック駆動方式、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動方式や、外部電界形成手段を用いた外部電界駆動方式など、種々のタイプの駆動方式を適用することができる。
【図面の簡単な説明】
【００６６】
【図１】（ａ）、（ｂ）はそれぞれ本発明の第１発明に係る情報表示用パネルの一例を示す図である。
【図２】（ａ）、（ｂ）はそれぞれ本発明の第１発明に係る情報表示用パネルの他の例を示す図である。
【図３】（ａ）、（ｂ）はそれぞれ本発明の第１発明に係る情報表示用パネルの他の例を示す図である。
【図４】（ａ）、（ｂ）はそれぞれ本発明の第２発明に係る情報表示用パネルの一例を示す図である。
【図５】（ａ）、（ｂ）はそれぞれ本発明の第２発明に係る情報表示用パネルの他の例を示す図である。
【図６】（ａ）、（ｂ）はそれぞれ本発明の第２発明に係る情報表示用パネルの他の例を示す図である。
【図７】（ａ）、（ｂ）はそれぞれ本発明の第２発明に係る情報表示用パネルの他の例を示す図である。
【図８】（ａ）、（ｂ）はそれぞれ本発明の第２発明に係る情報表示用パネルの他の例を示す図である。
【図９】（ａ）、（ｂ）はそれぞれ本発明の第２発明に係る情報表示用パネルの他の例を示す図である。
【図１０】（ａ）、（ｂ）はそれぞれ本発明の情報表示用パネルのセルの構成例を示す図である。
【図１１】（ａ）、（ｂ）はそれぞれ本発明の情報表示用パネルのセルの他の構成例を示す図である。
【図１２】（ａ）、（ｂ）はそれぞれ本発明の情報表示用パネルのセルの他の構成例を示す図である。
【図１３】（ａ）〜（ｃ）はそれぞれ本発明の情報表示用パネルのセルの他の構成例を示す図である。
【図１４】（ａ）〜（ｃ）はそれぞれ本発明の情報表示用パネルのセルのさらに他の構成例を示す図である。
【図１５】（ａ）〜（ｈ）はそれぞれ本発明の情報表示用パネルの１表示単位の構成例である。
【図１６】（ａ）、（ｂ）はそれぞれ本発明の情報表示用パネルの１表示単位の他の構成例である。
【図１７】（ａ）〜（ｈ）はそれぞれ本発明の情報表示用パネルの１表示単位の他の構成例である。
【図１８】（ａ）〜（ｄ）はそれぞれ本発明の情報表示用パネルの１表示単位の他の構成例である。
【図１９】本発明の情報表示用パネルにおける隔壁の形状の一例を示す図である。
【図２０】（ａ）、（ｂ）はそれぞれ従来の帯電粒子電界駆動方式表示パネルの代表例である。
【図２１】（ａ）、（ｂ）はそれぞれ従来の帯電粒子電界駆動方式表示パネルの他の代表例である。
【図２２】（ａ）、（ｂ）はそれぞれ従来の帯電粒子電界駆動方式表示パネルのさらに他の代表例である。
【符号の説明】
【００６７】
１              背面側基板
２              表示面側透明基板
３              表示媒体
３Ｗ            白色表示媒体
３Ｂ            黒色表示媒体
３Ｒ            赤色表示媒体
４              隔壁
５、６          電極
１１            中央凸状部材
１１Ｗ          白色中央凸状部材
１１Ｂ          黒色中央凸状部材
１１Ｒ          赤色中央凸状部材
２２Ｒ          赤色カラーフィルタ
２２Ｇ          緑色カラーフィルタ
２２ＢＬ        青色カラーフィルタ
２５、２６      外部電界形成手段（外部対向対電極）
２７、２８      導電部材
３３            表示媒体
３３Ｗ          白色表示媒体
３３Ｂ          黒色表示媒体
３４            隔壁
３５、３６      電極
３７            セル
４１Ｒ          赤色カラーフィルタ
４１Ｇ          緑色カラーフィルタ
４１ＢＬ        青色カラーフィルタ
４８            絶縁性液体
４９            マイクロカプセル
【図１】
2008299202.tif 000003
【図２】
2008299202.tif 000004
【図３】
2008299202.tif 000005
【図４】
2008299202.tif 000006
【図５】
2008299202.tif 000007
【図６】
2008299202.tif 000008
【図７】
2008299202.tif 000009
【図８】
2008299202.tif 000010
【図９】
2008299202.tif 000011
【図１０】
2008299202.tif 000012
【図１１】
2008299202.tif 000013
【図１２】
2008299202.tif 000014
【図１３】
2008299202.tif 000015
【図１４】
2008299202.tif 000016
【図１５】
2008299202.tif 000017
【図１６】
2008299202.tif 000018
【図１７】
2008299202.tif 000019
【図１８】
2008299202.tif 000020
【図１９】
2008299202.tif 000021
【図２０】
2008299202.tif 000022
【図２１】
2008299202.tif 000023
【図２２】
2008299202.tif 000024